(57)【要約】      （修正有）【課題】お腹部分を温め、寝返りが楽にでき、手元でメモや携帯電話の操作ができ、持ち運びができる炬燵を提供する。【解決手段】フード付き炬燵を敷布団と掛け布団の間に備え、空間部分を２７℃〜３０℃程に温めるドーム型就寝専用炬燵とする。ドーム型炬燵は照明器具を備え、布団の中を明るく照らすことにより、手元でメモ帳などが確認でき携帯電話なども操作しやすくなり、就寝時にはポケットに安全にしまうことが可能となる。ドーム型炬燵は腰の部分に設置するためお腹部分も温かくなり、夜間トイレに行く回数が減り、冷え症が改善され、風邪に掛かりにくくなる。炬燵のフードをたたみやすく構成し、簡単に持ち運びができ軽くて安全な、場所を取らない暖房器具となる。【選択図】図１
2019128140.tif 000002
【特許請求の範囲】
【請求項１】
ドーム型の炬燵にからだを入れ、布団の中の空間部分を温める暖房器具。
【請求項２】
空間部分を照らす照明器具、小物入れポケット、取手などが取り付けられる。
【請求項３】
空間部分を拡張したり、狭めたり出来る廂のような物を取り付ける。
【請求項４】
ファンが付いた発熱器を横に置くことで、ドーム型の空間に対流が生まれ暖かい熱が空間部分を隈なく温める。
【発明の詳細な説明】
【発明の詳細な説明】
【０００１】▲１▼敷布団の上に炬燵を乗せ、その上に掛け布団を被せ、就寝時に使う暖房器具です。▲２▼右側面の足になる部分にフアン付き発熱体（ヒーター）を取り付け、空間部分が対流によって温まるようにします。▲３▼左側面にポケットを取り付けます、上部に拡張ができる、ひさしのような物（空間を広くしたり、狭めたりできる）を取り付け、空間部分を広めに確保します。  かまぼこ型炬燵の上の部分には照明器具が取り付けられ、空間部分を明るく照らします。▲４▼持ち運びが簡単にできるように上の部分に取手を取り付けます。▲５▼綿ほこりがたまらないようにカバーの中が掃除出来るようにします。▲６▼就寝中に温度が一定に保てるように温度調節装置を取り付けます。▲７▼炬燵は腰の上に設置され掛け布団を掛けておきます、顔は布団から出して寝ます。
【技術分野】
【０００２】▲１▼ドーム型にすることで体が炬燵に入りやすくなり圧迫感が軽減されます。  ドーム型ですので。テーブルは置かない。▲２▼照明器具を取り付けることで就寝前に本やスマートホンが見られ音楽も聴けます。▲２▼ヒーターを側面に取り付けることで炬燵の重心を下げ炬燵が倒れないようにします。▲３▼ヒーターにフアンを取り付けることで、ドーム型炬燵内部がむらなく暖まります。▲５▼火災及び火傷を防止するために発熱体の温度設定は０℃〜４０℃までとし、空間部分の温度設定は２０℃〜３２℃程とします。▲６▼空間部分を広くするため拡張が出来るひさしを設ける。
【背景技術】
【０００３】▲１▼従来の就寝専用の炬燵は正方形でテーブルが置ける、炬燵を小さくした電気火鉢のようなものでした。  そこで、テーブルを置かないで、腰やお腹の上の部分に設置し布団全体に空間を作り空間部分を温める、ドーム型就寝専用炬燵を思い付きました。電気マットレスや電気あんかは接した部分だけが温かく汗疹ができたりしました。▲７▼羽毛布団だけでは寒く他の寝具を重ねるために、真冬でも寝具は重く感じました。▲８▼稀に洗浄が不十分な羽毛で、喘息になる羽毛アレルギーの方もいました。▲９▼他にも色々暖房器具があるが就寝中は燃費を抑えたいと言う思いもありました。  １ｍ四方の炬燵では発熱体ヒーターの消費電力が５００Ｗ程ですが。  ドーム型炬燵では消費電力が１００Ｗ以下で抑えられました。▲１０▼炬燵は布団の上に直接置けないので炬燵専用マットレスが必要でした。▲１１▼従来の炬燵は取手が付いていなかった。▲１２▼就寝前に携帯を使い、起きた時に間違えて踏みつける事があった。
【要約】
【０００４】
【課題】
▲１▼従来の炬燵で寝ますと温度設定が高すぎて脱水症状や低温やけどになりやすく、  風邪をひいたりもします、四角い形の就寝専用炬燵にしても炬燵部分はあたたかいのですが炬燵から離れたところは寒く布団も必要になりました。  そこで敷布団と掛け布団の間の空間部分を広くし、その空間部分を程よく温める（２７℃前後）暖房器具、かまぼこ型就寝専用炬燵が必要になりました。▲２▼就寝前は暗く照明を必要とするときには、布団から出ていました。▲３▼炬燵の持ち運びがたいへんでした。▲４▼炬燵専用のシートも必要でした。
【手段と効果】
▲１▼炬燵の中では照明器具が操作しやすく布団の中の空間が明るいので、携帯電話を操作したり音楽を聴いたり出来、就寝時にはポケットに携帯電話がしまえる。▲２▼ドーム型炬燵は腰の部分に設置するためお腹部分も温かくなり、夜間トイレに行く回数が減り、冷え症が改善され、風邪に掛かりにくくなる。▲３▼かけ布団は軽い素材で十分ですので、寝がえりが楽になり腰の負担が軽減されます。▲４▼就寝中には顔を布団から出して寝ますので、肩の周りが少し寒く感じられますが、空間部分を２７℃前後で設定しますと目覚める時には程よく温かく、喉が渇き脱水症状になることもありません。▲５▼ただ、高齢者や幼児、病気の方、極端に寝相が悪い方には使用できません。▲６▼簡単に持ち運びができ軽くて安全な、場所を取らない暖房器具です。▲７▼布団の中の空間部分をあたためますので、下着やパジャマも薄手のもので十分です。
【図１】
2019128140.tif 000003
【図２】
2019128140.tif 000004
【図３】
2019128140.tif 000005
【手続補正書】
【提出日】平成30年5月10日(2018.5.10)
【手続補正１】
【補正対象書類名】明細書
【補正対象項目名】全文
【補正方法】変更
【補正の内容】
【発明の詳細な説明】
【発明の詳細な説明】
【０００１】１、敷布団の上に炬燵を乗せ、その上に掛け布団を被せ、就寝時に使う暖房器具です。
２、右側面の足になる部分にフアン付き発熱体（ヒーター）を取り付け、空間部分が対流によって温まるようにします。
３、左側面にポケットを取り付けます、上部に拡張ができる、ひさしのような物（空間を広くしたり、狭めたりできる）を取り付け、空間部分を広めに確保します。
ドーム型炬燵の上の部分には照明器具が取り付けられ空間部分を明るく照らします。
４、たたんで持ち運びが簡単に出来るように上の部分に取手を取り付けます。
５、綿ほこりがたまらないようにカバーの中が掃除出来るようにします。
６、就寝中に温度が一定に保てるように温度調節装置（サーモスタット）を取り付けます。
７、炬燵は腰の上に設置され掛け布団を掛けておきます、顔は布団から出して寝ます。
【技術分野】
【０００２】１、ドーム型にすることで体が炬燵に入りやすくなり圧迫感が軽減されます。
ドーム型ですので、テーブルは置かない。
２、照明器具を取り付けることで就寝前に本やスマートホンが見られます。
３、ヒーターを側面の上部に取り付けることで、炬燵の重心が下がり炬燵が倒れなくなります。
４、ヒーターにファンを取り付けることで、ドーム型炬燵内部がむらなく暖まります。
５、火災及び火傷を防止するために発熱体の温度設定は０℃〜３５℃までとし、空間部分の温度設定は２０℃〜３２℃程とします。
６、空間部分を広くするため拡張が出来る、ひさし（フード）を設ける。
【背景技術】
【０００３】１、従来の就寝専用の炬燵は正方形でテーブルが置ける、炬燵を小さくした電気火鉢のような形状でした。そこで、テーブルを置かないで、腰やお腹の上の部分に設置し布団全体に空間を作り空間部分を暖める、ドーム型就寝専用炬燵を思い付きました。電気マットレスや電気あんかは接した部分だけが温かく汗疹ができたりもしました。
２、羽毛布団だけでは寒く他の寝具も重ねるために、真冬でも寝具は重く感じました。
３、ほかにも色々暖房器具があるが就寝中は燃費を抑えたい思いがありました。
１ｍ四方の炬燵では発熱体（ヒーター）の消費電力が５００Ｗ程ですが、ドーム型炬燵では消費電力が１００Ｗ以下で抑えられました。
４、炬燵はベッドや布団の上に直接置けないので炬燵専用マットレスが必要でした。
５、従来の炬燵は取手が付いていなかった。
６、就寝前に携帯を使い、起きた時に間違えて踏みつける事があった。
【図面の簡単な説明】
【０００５】
【図１】Ａ図、本考案の斜視図です。Ｂ図、本考案の側面図です。Ｃ図、本考案の平面図です。
【図２】本考案で試作中の写真画です。
【図３】本考案で簡易照明器具を使用している写真画です。
【符号の説明】１は取手、  ２スイッチ、  ３はコード、  ４はヒーター（発熱体）
５はフード（ひさし）      ６はポケット  ７は照明器具
８は布団    ９は枕
【手続補正２】
【補正対象書類名】図面
【補正対象項目名】全図
【補正方法】変更
【補正の内容】
【図１】
2019128140.tif 000006
【図２】
2019128140.tif 000007
【図３】
2019128140.tif 000008